(57)【要約】【課題】所望の配光を得ることができる照明装置を提供する。【解決手段】非常用ランプ１０は、ＬＥＤランプ１００と、上面から側面にかけて傾斜した傾斜面４１１を有する筐体部４００と、傾斜面４１１に取り付けられ、ＬＥＤランプ１００を支持する支持部５００とを備え、支持部５００は、ＬＥＤランプ１００と傾斜面４１１とを離間させ、かつ、ＬＥＤランプ１００が少なくとも上下方向に可動になるように、ＬＥＤランプ１００を支持し、ＬＥＤランプ１００は、下方向に最大に可動させた場合において、傾斜面４１１とは接触しない。【選択図】図１
2015125812.tif 000002
【特許請求の範囲】
【請求項１】
光源部と、
上面から側面にかけて傾斜した傾斜面を有する筐体部と、
前記傾斜面に取り付けられ、前記光源部を支持する支持部とを備え、
前記支持部は、前記光源部と前記傾斜面とを離間させ、かつ、前記光源部が少なくとも上下方向に可動になるように、前記光源部を支持し、
前記光源部は、下方向に最大に可動させた場合において、前記傾斜面とは接触しない
照明装置。
【請求項２】
前記支持部は、
回転可能であり、
前記光源部が前記支持部の回転方向とは異なる方向に回転可能になるように、前記光源部を支持する
請求項１に記載の照明装置。
【請求項３】
前記支持部は、
前記傾斜面に垂直な方向を回転軸として回転可能であり、
前記光源部が前記傾斜面に平行な方向を回転軸として回転可能になるように、前記光源部を支持する
請求項２に記載の照明装置。
【請求項４】
前記支持部は、平面視した場合に前記光源部の少なくとも一部が前記筐体部の外方に突出するように、前記光源部を支持する
請求項１〜３のいずれか１項に記載の照明装置。
【請求項５】
前記照明装置は、さらに、前記筐体部の背面部に設けられた、当該照明装置を取り付けるための被取付面に取付可能な取付体を備え、
前記筐体部は、
樹脂から構成され、
前記光源部に電力を供給するための電源部を収容し、
前記取付体は、
金属から構成され、
前記背面部から前記筐体部の下面に沿って延設されて前記下面を支持する
請求項１〜４のいずれか１項に記載の照明装置。
【発明の詳細な説明】
【技術分野】
【０００１】
本発明は、照明装置に関する。
【背景技術】
【０００２】
従来、照射光の照射角度を変更できる照明装置として、特許文献１に示す照明装置が知られている。特許文献１に示す照明装置は、蓄電池を備える本体の上面に上下方向に伸縮自在なマストが取り付けられ、その先端に光源が取り付けられている。
【先行技術文献】
【特許文献】
【０００３】
【特許文献１】特開平１１−２２４５０６号公報
【発明の概要】
【発明が解決しようとする課題】
【０００４】
しかしながら、上記従来の照明装置では、所望の配光を得られないという課題がある。例えば、上記従来の照明装置では、装置の直下近傍を照射することができない。
【０００５】
そこで、本発明は、所望の配光を得ることができる照明装置を提供する。
【課題を解決するための手段】
【０００６】
上記課題を解決するため、本発明の一態様に係る照明装置は、光源部と、上面から側面にかけて傾斜した傾斜面を有する筐体部と、前記傾斜面に取り付けられ、前記光源部を支持する支持部とを備え、前記支持部は、前記光源部と前記傾斜面とを離間させ、かつ、前記光源部が少なくとも上下方向に可動になるように、前記光源部を支持し、前記光源部は、下方向に最大に可動させた場合において、前記傾斜面とは接触しない。
【０００７】
また、本発明の一態様に係る照明装置では、前記支持部は、回転可能であり、前記光源部が前記支持部の回転方向とは異なる方向に回転可能になるように、前記光源部を支持してもよい。
【０００８】
また、本発明の一態様に係る照明装置では、前記支持部は、前記傾斜面に垂直な方向を回転軸として回転可能であり、前記光源部が前記傾斜面に平行な方向を回転軸として回転可能になるように、前記光源部を支持してもよい。
【０００９】
また、本発明の一態様に係る照明装置では、前記支持部は、平面視した場合に前記光源部の少なくとも一部が前記筐体部の外方に突出するように、前記光源部を支持してもよい。
【００１０】
また、本発明の一態様に係る照明装置では、前記照明装置は、さらに、前記筐体部の背面部に設けられた、当該照明装置を取り付けるための被取付面に取付可能な取付体を備え、前記筐体部は、樹脂から構成され、前記光源部に電力を供給するための電源部を収容し、前記取付体は、金属から構成され、前記背面部から前記筐体部の下面に沿って延設されて前記下面を支持してもよい。
【発明の効果】
【００１１】
本発明に係る照明装置によれば、所望の配光を得ることができる。
【図面の簡単な説明】
【００１２】
【図１】本発明の実施の形態に係る非常用ランプの一例を示す概観斜視図である。
【図２】本発明の実施の形態に係る非常用ランプの一例を示す上面図、正面図及び側面図を含む三面図である。
【図３】本発明の実施の形態に係る非常用ランプの一例を示す分解斜視図である。
【図４】本発明の実施の形態に係るＬＥＤランプの一例を示す分解斜視図である。
【図５】本発明の実施の形態に係るフロントケースの一例を示す概観斜視図である。
【図６】本発明の実施の形態に係るフロントケースの一例を示す側面図である。
【図７】本発明の実施の形態に係るバックケースの一例を示す概観斜視図である。
【図８】本発明の実施の形態に係るバックケースの一例を示す側面図、背面図及び底面図を含む三面図である。
【図９】本発明の実施の形態に係るフロントケースと駆動回路部との接続関係を説明するための一部分解斜視図である。
【図１０】本発明の実施の形態に係るフロントケースと駆動回路部との接続関係を説明するための一部分解斜視図である。
【図１１】本発明の実施の形態に係るフロントケースとバックケースとの接続関係を説明するための一部分解斜視図である。
【図１２】本発明の実施の形態に係る駆動回路部とバッテリー部の収容例を示す断面図である。
【図１３】本発明の実施の形態に係る支持部の一例を示す分解斜視図である。
【図１４】本発明の実施の形態に係る支持部の可動性を説明するための図である。
【図１５】本発明の実施の形態に係る光源部の可動性を説明するための図である。
【図１６】本発明の実施の形態に係る取付体の一例を示す概観斜視図である。
【図１７】本発明の実施の形態に係る取付体の一例を示す正面図、側面図及び下面図を含む三面図である。
【図１８】本発明の実施の形態に係る取付体による筐体部の支持方法の一例を説明するための概観斜視図である。
【発明を実施するための形態】
【００１３】
（本発明の基礎となった知見）
本発明者は、「背景技術」の欄において記載した照明装置に関し、以下の問題が生じることを見出した。
【００１４】
例えば、停電時などの非常用ランプとして、照明装置を利用する場合を想定する。特に、地震などの災害によって停電が発生した場合には、家屋の倒壊などから逃れるために、人は、屋外に避難することなどが求められる。
【００１５】
このとき、照明装置は、避難を誘導するために、出入口となる扉及びその近傍を照射するために用いられる。さらに、照明装置は、避難の妨げになることを防止するために、扉の上方に配置される。この場合、照明装置は、扉及びその近傍を照射するために、直下近傍を照射することが求められる。
【００１６】
上記従来の照明装置では、上下方向に伸縮自在なマストの先端に光源が取り付けられており、照射位置及び照射角度が変更可能になっている。しかしながら、変更可能な照射角度には限界があり、例えば、従来の照明装置は、直下近傍を照射することができない。
【００１７】
そこで、このような問題を解決するために、本発明の一態様に係る照明装置は、光源部と、上面から側面にかけて傾斜した傾斜面を有する筐体部と、前記傾斜面に取り付けられ、前記光源部を支持する支持部とを備え、前記支持部は、前記光源部と前記傾斜面とを離間させ、かつ、前記光源部が少なくとも上下方向に可動になるように、前記光源部を支持し、前記光源部は、下方向に最大に可動させた場合において、前記傾斜面とは接触しない。
【００１８】
これにより、所望の配光を得ることができ、所望の方向を照射することができる。したがって、例えば、照明装置の直下近傍を照射することができる。
【００１９】
以下では、本発明の実施の形態に係る照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００２０】
また、各図は、模式図であり、必ずしも厳密に図示されたものではない。また、各図において、同じ構成部材については同じ符号を付している。
【００２１】
以下の実施の形態では、照明装置の一例として、非常用ランプについて説明する。
【００２２】
（実施の形態）
［非常用ランプの全体構成］
まず、本実施の形態に係る非常用ランプの構成の一例について、図１〜図３を用いて説明する。図１は、本実施の形態に係る非常用ランプ１０を示す概観斜視図である。図２は、本実施の形態に係る非常用ランプ１０を示す（ａ）上面図、（ｂ）正面図及び（ｃ）側面図を含む三面図である。図３は、本実施の形態に係る非常用ランプ１０を示す分解斜視図である。
【００２３】
本実施の形態に係る非常用ランプは、例えば、バッテリー駆動の持ち運び可能なＬＥＤ（Ｌｉｇｈｔ  Ｅｍｉｔｔｉｎｇ  Ｄｉｏｄｅ）ランプであり、停電時などの非常時に利用することができる。図１〜図３に示すように、非常用ランプ１０は、ＬＥＤランプ１００と、バッテリー部２００と、駆動回路部３００と、筐体部４００と、支持部５００と、取付体６００とを備える。
【００２４】
図１に示すように、ＬＥＤランプ１００は、筐体部４００の前方斜め上方に設けられている。具体的には、以下の説明では、図１に示すＸ軸に平行な方向を左右方向、Ｙ軸に平行な方向を上下方向、Ｚ軸に平行な方向を前後方向と記載する場合がある。
【００２５】
以下、非常用ランプ１０の各構成部材及び接続形態などについて、図１〜図３を用いて説明する。
【００２６】
［ＬＥＤランプ］
まず、ＬＥＤランプ１００について、図１〜図３を参照しながら図４を用いて説明する。図４は、本実施の形態に係るＬＥＤランプ１００を示す分解斜視図である。
【００２７】
ＬＥＤランプ１００は、非常用ランプ１０の光源部の一例である。ＬＥＤランプ１００は、例えば、反射鏡付きハロゲン電球の代替品となる反射鏡付きハロゲン電球形のＬＥＤランプ（ＬＥＤ電球）である。ＬＥＤランプ１００は、支持部５００を介して筐体部４００の傾斜面４１１に取り付けられている。
【００２８】
図４に示すように、ＬＥＤランプ１００は、例えば、ＬＥＤモジュール１１０と、導光部材１２０と、フロントカバー１３０と、支持台１４０と、保持ケース１５０とを備える。
【００２９】
ＬＥＤモジュール１１０は、発光素子を有する発光モジュールの一例であって、白色などの所定の色（波長）の光を放出する。例えば、ＬＥＤモジュール１１０は、基台１１１と、ＬＥＤ素子１１２とを備える。ＬＥＤモジュール１１０は、駆動回路部３００に実装された複数の回路素子によって構成される駆動回路から供給される電力によって発光する。
【００３０】
基台１１１は、ＬＥＤ素子１１２を実装するためのＬＥＤ実装基板である。基台１１１は、例えば、アルミナなどのセラミックスからなるセラミックス基板、樹脂からなる樹脂基板、又は、金属をベースとして絶縁被覆されたメタルベース基板などである。なお、基台１１１は、熱伝導率の高い材料によって構成してもよい。
【００３１】
また、基台１１１の表面には、複数のＬＥＤ素子１１２を電気的に接続するための金属配線がパターニングされている。さらに、基台１１１には、金属配線に接続された一対の電極端子（給電端子）が形成されている。一対の電極端子は、一対のリード線（ケーブル）などによって駆動回路部３００と電気的に接続されており、ＬＥＤ素子１１２に供給する直流電力を受ける。
【００３２】
ＬＥＤ素子１１２は、パッケージ化されたＳＭＤ（Ｓｕｒｆａｃｅ  Ｍｏｕｎｔ  Ｄｅｖｉｃｅ）型のＬＥＤ素子である。ＬＥＤ素子１１２は、例えば、凹部を有する容器と、凹部の中に実装されたＬＥＤチップと、凹部内に封入された封止部材とを備える。
【００３３】
ＬＥＤチップは、所定の電力により発光する半導体発光素子であって、単色の可視光を発するベアチップである。本実施の形態では、通電されれば青色光を発する青色ＬＥＤチップを用いている。青色ＬＥＤチップは、例えば、サファイア基板上にＩｎＧａＮ系の材料からなる半導体層を形成することによって構成された半導体発光素子である。具体的には、青色ＬＥＤチップとしては、中心波長が４４０ｎｍ〜４７０ｎｍの窒化ガリウム系の半導体発光素子を用いることができる。
【００３４】
封止部材は、主として透光性材料から構成される。このとき、ＬＥＤチップの光の波長を所定の波長に変換する必要がある場合には、波長変換材が透光性材料に混入される。本実施の形態における封止部材は、波長変換材として蛍光体を含み、ＬＥＤチップが発する光の波長（色）を変換する波長変換部材である。このような封止部材としては、例えば、蛍光体粒子を含有する絶縁性の樹脂材料（蛍光体含有樹脂）を用いることができる。蛍光体粒子は、ＬＥＤチップが発する光によって励起されて所望の色（波長）の光を放射する。
【００３５】
封止部材を構成する透光性樹脂材料としては、例えば、シリコーン樹脂を用いることができる。また、封止部材に含有させる蛍光体粒子としては、例えば、ＬＥＤチップが青色ＬＥＤチップである場合、白色光を得るために、例えば、ＹＡＧ（イットリウム・アルミニウム・ガーネット）系の黄色蛍光体粒子を用いることができる。これにより、ＬＥＤチップが発した青色光の一部は、封止部材に含まれる黄色蛍光体粒子によって黄色光に波長変換される。そして、黄色蛍光体粒子に吸収されなかった青色光と、黄色蛍光体粒子によって波長変換された黄色光とが混ざって、封止部材から白色光が放射する。
【００３６】
導光部材１２０は、ＬＥＤモジュール１１０から出射する光を導光する部材である。導光部材１２０は、ランプ外部に露出した光放射面１２１を有し、導光した光を光放射面１２１からランプ外部に放射させる。光放射方向は、光放射面１２１の法線方向、具体的には、図４に示すランプ軸Ｊによって示される方向（紙面上下方向）である。
【００３７】
例えば、導光部材１２０は、透光性材料によって構成される。具体的には、導光部材１２０としては、透光性樹脂材料又はガラス材料を用いることができる。
【００３８】
フロントカバー１３０は、導光部材１２０を囲むように構成されたカバー部材の一例である。例えば、フロントカバー１３０は、円錐台状の筒体であり、保持ケース１５０に固定されている。フロントカバー１３０は、例えば、遮光性材料から構成される。例えば、フロントカバー１３０としては、ポリブチレンテレフタレート（ＰＢＴ）などの樹脂材料を用いることができる。
【００３９】
支持台１４０（モジュールプレート）は、ＬＥＤモジュール１１０を支持する支持部材である。支持台１４０は、ＬＥＤモジュール１１０が戴置される平板部１４１を備え、保持ケース１５０の開口を覆うように設けられたキャップ状の部材である。
【００４０】
なお、図４に示すように、平板部１４１には、貫通孔１４２が設けられている。貫通孔１４２には、例えば、駆動回路部３００とＬＥＤモジュール１１０とを電気的に接続するケーブルが挿通される。これにより、ＬＥＤモジュール１１０に電力を供給することができる。
【００４１】
支持台１４０は、保持ケース１５０に接することで、ＬＥＤモジュール１１０から発生し、支持台１４０に伝導した熱を保持ケース１５０に直接伝導させることができる。このように、支持台１４０は、放熱部材（ヒートシンク）としても機能する。
【００４２】
支持台１４０は、例えば、アルミニウム（Ａｌ）、銅（Ｃｕ）若しくは鉄（Ｆｅ）などを主成分とする金属材料、又は、熱伝導率の高い樹脂材料によって構成される。これにより、支持台１４０は、効率良く熱伝導させることができる。
【００４３】
保持ケース１５０は、フロントカバー１３０とともにＬＥＤモジュール１１０を覆うように構成された外郭部材である。例えば、保持ケース１５０は、有底筒状部材である。なお、導光部材１２０の光放射面１２１、フロントカバー１３０及び保持ケース１５０は、ＬＥＤランプ１００の外郭をなす。例えば、保持ケース１５０としては、ＰＢＴなどの絶縁性樹脂材料などを用いることができる。
【００４４】
保持ケース１５０は、図４に示すように、底面部に貫通孔１５１を有する。貫通孔１５１には、例えば、駆動回路部３００とＬＥＤモジュール１１０とを電気的に接続するケーブルが挿通される。
【００４５】
また、保持ケース１５０は、穴部１５２が設けられている。保持ケース１５０は、穴部１５２にネジが挿通されることによって、支持部５００に支持される。なお、支持部５００による保持ケース１５０（ＬＥＤランプ１００）の支持については、後で詳しく説明する。
【００４６】
［バッテリー部］
続いて、バッテリー部２００について、図３を用いて説明する。
【００４７】
バッテリー部２００は、ＬＥＤランプ１００に電力を供給するための電源部の一例である。バッテリー部２００は、例えば、充電可能な二次電池（蓄電池）である。バッテリー部２００は、リード線（図示せず）などにより駆動回路部３００と電気的に接続され、所定の電圧の直流電力を供給することができる。
【００４８】
バッテリー部２００は、図３に示すように、略直方体状の筐体部である。バッテリー部２００は、筐体部４００の内部に収容される。具体的には、バッテリー部２００は、筐体部４００のバックケース４２０によって上下方向及び左右方向から挟持されている。また、バッテリー部２００は、筐体部４００のフロントケース４１０とバックケース４２０とによって前後方向から挟持される。このとき、バッテリー部２００は、バッテリー部２００の各面が筐体部４００の各面に略平行になるように収容される。
【００４９】
［駆動回路部］
続いて、駆動回路部３００について、図３を用いて説明する。
【００５０】
駆動回路部３００は、ＬＥＤランプ１００に電力を供給するための駆動回路部の一例である。図３に示すように、駆動回路部３００は、駆動回路基板３１０と、ボタン回路基板３２０とを備える。
【００５１】
駆動回路基板３１０は、一方の面（半田面）に銅箔などの金属配線がパターニングされたプリント基板（ＰＣＢ基板）である。駆動回路基板３１０には、金属配線によって互いに電気的に接続された複数の回路素子が実装されている。
【００５２】
駆動回路基板３１０は、例えば、図３に示すように、一部が切り欠かれた略矩形の基板である。なお、切り欠かれた部分は、ボタン回路基板３２０として利用される。
【００５３】
なお、複数の回路素子（回路部品）は、例えば、電解コンデンサ若しくはセラミックコンデンサなどの容量素子、抵抗器などの抵抗素子、整流回路素子、コイル素子、チョークコイル（チョークトランス）、ノイズフィルタ、ダイオード又は集積回路素子などの半導体素子などである。駆動回路基板３１０は、これらの複数の回路素子によって、バッテリー部２００から受け取った電力を所定の直流電力に変換して、ＬＥＤモジュール１１０に供給する。
【００５４】
ボタン回路基板３２０は、一方の面（半田面）に銅箔などの金属配線がパターニングされたプリント基板（ＰＣＢ基板）である。ボタン回路基板３２０には、金属配線によって互いに電気的に接続された複数の回路素子として、例えば、プッシュボタン及び発光ダイオードなどが実装されている。
【００５５】
プッシュボタンは、例えば、ＬＥＤランプ１００の点灯及び消灯を制御するためのボタンである。発光ダイオードは、例えば、ＬＥＤランプ１００の点灯及び消灯などの状態に応じて光を発する。
【００５６】
駆動回路基板３１０及びボタン回路基板３２０は、筐体部４００のフロントケース４１０に固定される。具体的には、駆動回路基板３１０及びボタン回路基板３２０は、筐体部４００の前面又は背面に平行に、すなわち、図３におけるＸＺ面に平行に設けられる。
【００５７】
なお、本実施の形態では、駆動回路基板３１０とボタン回路基板３２０とに分離されているが、１枚の基板に、駆動回路基板３１０とボタン回路基板３２０とのそれぞれに実装されている複数の回路素子を実装してもよい。
【００５８】
［筐体部］
続いて、筐体部４００について、図１〜図３を用いて説明する。
【００５９】
筐体部４００は、図１及び図２に示すように、上面から側面にかけて傾斜面４１１を有する略角柱状の筐体である。具体的には、筐体部４００は、略直方体の筐体であり、一部に傾斜面４１１が設けられている。より具体的には、傾斜面４１１は、筐体部４００の上面から側面の１つである前面にかけて傾斜している。
【００６０】
なお、筐体部４００は、略直方体の筐体であるから、筐体部４００の前面及び背面は、図１におけるＸＺ平面に略平行であり、底面及び上面は、ＸＹ平面に略平行であり、左側面及び右側面は、ＹＺ平面に略平行である。なお、左側面及び右側面はそれぞれ、筐体部４００を正面視した場合における左側及び右側の側面である。
【００６１】
図３に示すように、筐体部４００は、内部にバッテリー部２００及び駆動回路部３００を収容する外郭筐体である。筐体部４００は、フロントケース４１０と、バックケース４２０と、第１ネジ４３０と、第２ネジ４４０とを備える。
【００６２】
フロントケース４１０は、筐体部４００の前面部及び傾斜部を構成する板状の部材である。
【００６３】
フロントケース４１０は、例えば、軽量化のために樹脂材料から構成される。一例として、フロントケース４１０は、アクリロニトリル、ブタジエン及びスチレンの共重合合成樹脂（ＡＢＳ樹脂）から構成される。例えば、フロントケース４１０は、樹脂材料と金型とを用いた一体成型によって作製される。なお、フロントケース４１０は、金属材料から構成されてもよい。
【００６４】
フロントケース４１０は、複数の第１ネジ４３０によってバックケース４２０に固定される。また、フロントケース４１０の傾斜面４１１には、ＬＥＤランプ１００を支持する支持部５００が取り付けられている。
【００６５】
バックケース４２０は、筐体部４００の上面部、底面部、背面部、左側面部及び右側面部を構成する略直方体状の筐体である。
【００６６】
バックケース４２０は、例えば、軽量化のために樹脂材料から構成される。一例として、バックケース４２０は、ＡＢＳ樹脂から構成される。例えば、バックケース４２０は、樹脂材料と金型とを用いた一体成型によって作製される。なお、バックケース４２０は、金属材料から構成されてもよい。
【００６７】
バックケース４２０は、複数の第１ネジ４３０によってフロントケース４１０に固定される。また、バックケース４２０の背面には、非常用ランプ１０を取り付けるための取付体６００が設けられる。
【００６８】
第１ネジ４３０は、フロントケース４１０とバックケース４２０とを固定するネジである。例えば、第１ネジ４３０は、なべ頭タッピンネジである。第１ネジ４３０は、例えば、金属材料又は樹脂材料などから構成される。
【００６９】
第２ネジ４４０は、駆動回路基板３１０とフロントケース４１０とを固定するネジである。例えば、第２ネジ４４０は、なべ頭タッピンネジである。第２ネジ４４０は、例えば、金属材料又は樹脂材料などから構成される。
【００７０】
［フロントケース］
ここで、フロントケース４１０の詳細な構成について、図５及び図６を用いて説明する。図５は、本実施の形態に係るフロントケース４１０の概観斜視図である。図６は、本実施の形態に係るフロントケース４１０の側面図である。
【００７１】
図５及び図６に示すように、フロントケース４１０は、傾斜面４１１と、凸面部４１２と、第１突出部４１３と、第２突出部４１４と、第３突出部４１５と、係止部４１６と、貫通孔４１７とを有する。
【００７２】
傾斜面４１１は、上面から側面にかけて傾斜している。つまり、傾斜面４１１は、筐体部４００の上面側に設けられる。具体的には、傾斜面４１１は、上面から前面にかけて傾斜しており、筐体部４００の前方斜め上方に設けられる。つまり、傾斜面４１１は、フロントケース４１０の上面側に設けられる。傾斜面４１１には、支持部５００が取り付けられている。
【００７３】
傾斜面４１１は、例えば、直方体状の筐体部４００の上面又は底面に対して傾斜している。例えば、傾斜面４１１は、筐体部４００の上面に対して、筐体部４００の前面に近づく程、下方に傾斜している。すなわち、傾斜面４１１は、筐体部４００の後方から前方に向かうにつれて下方に傾いている。
【００７４】
具体的には、図１及び図２の（ｃ）に示すように、傾斜面４１１は、バックケース４２０側からフロントケース４１０側に向かうにつれて、筐体部４００の底面に近付くように傾斜している。例えば、傾斜面４１１は、平面視した場合に（図２の（ａ）参照）、傾斜面４１１に取り付けられた支持部５００が支持するＬＥＤランプ１００が筐体部４００の外方に突出するように傾斜している。傾斜面４１１は、例えば、筐体部４００の上面に対して６０度下方に傾いている（図６参照）。
【００７５】
なお、このとき、ＬＥＤランプ１００の可動範囲は、鉛直下方を基準としたとき、約０〜２１０度の可動範囲を有する。すなわち、ＬＥＤランプ１００の照射方向は、鉛直下方（０度）から、鉛直上方（１８０度）より３０度後方まで照射可能となる。なお、照射可能範囲は、これに限らず３６０度照射可能であってもよい。
【００７６】
凸面部４１２は、筐体部４００の前面部に設けられる。凸面部４１２は、ボタンなどが配置される平面４１２ａを有する。平面４１２ａは、フロントケース４１０の基準面４１２ｂより前方に位置している。平面４１２ａは、例えば、略矩形状の平面であり、ＸＺ面に平行な面である。例えば、図６に示すように、凸面部４１２は、太鼓腹状である。
【００７７】
なお、基準面４１２ｂは、具体的には、フロントケース４１０の外枠に相当する面であり、凸面部４１２を囲む面である。例えば、基準面４１２ｂは、フロントケース４１０の底面部又は側面部の前方端を含む面である。つまり、平面４１２ａは、フロントケース４１０の底面部又は側面部の前方端より前方に位置している。
【００７８】
凸面部４１２は、駆動回路部３００の少なくとも一部が収容される空間を、筐体部４００の内部に形成する。言い換えると、凸面部４１２によって形成される空間に、駆動回路部３００の少なくとも一部が収容される。
【００７９】
第１突出部４１３は、フロントケース４１０とバックケース４２０とを固定するために設けられた円柱状の突出部である。第１突出部４１３は、バックケース４２０に設けられた孔部４２１（図７参照）に挿入され、第１ネジ４３０によってバックケース４２０に固定される。なお、第１突出部４１３には、第１ネジ４３０の軸が挿入される穴が設けられている。
【００８０】
第１突出部４１３は、図５に示すように、フロントケース４１０の四隅と上中央部との５ヶ所に設けられる。第１突出部４１３は、フロントケース４１０の内面から、筐体部４００の底面及び左側面（右側面）に平行な方向（Ｙ軸方向）に突出するように設けられる。なお、第１突出部４１３の数、位置及び形状は、これに限らない。
【００８１】
第２突出部４１４は、フロントケース４１０と駆動回路基板３１０とを固定するために設けられた円柱状の突出部である。第２突出部４１４は、図５に示すように、径の異なる２つの円柱（径大部及び径小部）を有する。第２突出部４１４には、２つの円柱によって段差が形成されている。なお、第２突出部４１４には、第２ネジ４４０の軸が挿入される穴が設けられている。
【００８２】
第２突出部４１４は、フロントケース４１０の内面から、筐体部４００の底面及び左側面（右側面）に平行な方向（Ｙ軸方向）に突出するように設けられる。具体的には、第２突出部４１４は、図５に示すように、凸面部４１２の内面（平面４１２ａの反対側の面）の４ヶ所に設けられ、凸面部４１２の内面から第１突出部４１３と平行になるように突出している。なお、第２突出部４１４の数、位置及び形状は、これに限らない。
【００８３】
第３突出部４１５は、フロントケース４１０とボタン回路基板３２０とを位置決めするために設けられた円柱状の突出部である。第３突出部４１５は、図５に示すように、径の異なる２つの円柱（径大部及び径小部）を有する。第３突出部４１５には、２つの円柱によって段差が形成されている。
【００８４】
第３突出部４１５は、フロントケース４１０の内面から、筐体部４００の底面及び左側面（右側面）に平行な方向（Ｙ軸方向）に突出するように設けられる。具体的には、第３突出部４１５は、図５に示すように、凸面部４１２の内面の４ヶ所に設けられ、凸面部４１２の内面から第２突出部４１４と平行になるように突出している。なお、第３突出部４１５の数、位置及び形状は、これに限らない。
【００８５】
なお、第３突出部４１５は、第２突出部４１４より低い、すなわち、突出方向における長さが短い。図６に示すように、フロントケース４１０を側面視した場合に、目視されない程度の長さである。例えば、第３突出部４１５の高さは、凸面部４１２の突出した距離以下、具体的には、平面４１２ａと基準面４１２ｂとの距離以下である。これに対して、第２突出部４１４は、図６に示すように、フロントケース４１０を側面視した場合に、目視可能である。
【００８６】
係止部４１６は、フロントケース４１０とボタン回路基板３２０とを固定するために設けられる。係止部４１６は、ボタン回路基板３２０に設けられた穴部に挿入されてボタン回路基板３２０に係止する。具体的には、係止部４１６の先端には、ボタン回路基板３２０を係止するための爪部が設けられている。
【００８７】
係止部４１６は、フロントケース４１０の内面から、筐体部４００の底面及び左側面（右側面）に平行な方向（Ｙ軸方向）に突出するように設けられる。具体的には、係止部４１６は、図５に示すように、凸面部４１２の内面の２ヶ所に設けられ、凸面部４１２の内面から第３突出部４１５に平行になるように突出している。なお、係止部４１６の数、位置及び形状は、これに限らない。
【００８８】
貫通孔４１７は、支持部５００を固定するための中空ボルト５２０（図１３参照）が挿入される貫通孔である。貫通孔４１７は、傾斜面４１１の２ヶ所に設けられる。なお、ＬＥＤランプ１００の数と同じ数の貫通孔４１７が設けられる。なお、貫通孔４１７の数、位置及び形状は、これに限らない。
【００８９】
なお、傾斜面４１１、凸面部４１２、第１突出部４１３、第２突出部４１４、第３突出部４１５及び係止部４１６は、例えば、樹脂材料から構成され、具体的には、樹脂材料と金型とを用いた一体成型によって作製される。なお、貫通孔４１７は、一体成型の際に形成されてもよく、あるいは、一体成型後に追加工により形成してもよい。
【００９０】
［バックケース］
次に、バックケース４２０の詳細な構成について、図７及び図８を用いて説明する。図７は、本実施の形態に係るバックケース４２０を示す概観斜視図である。図８は、本実施の形態に係るバックケース４２０を示す（ａ）側面図、（ｂ）背面図及び（ｃ）底面図を含む三面図である。
【００９１】
図８の（ａ）に示すように、バックケース４２０の側面は、略五角形である。具体的には、バックケース４２０の側面は、長方形の一部が斜めに切り欠かれたような形状である。
【００９２】
図７及び図８に示すように、バックケース４２０は、孔部４２１と、穴部４２２と、凸部４２３と、挿通孔４２４とを有する。
【００９３】
孔部４２１は、フロントケース４１０とバックケース４２０とを固定するために設けられた円筒状の貫通孔である。孔部４２１には、フロントケース４１０の第１突出部４１３が挿入される。孔部４２１は、例えば、内部に径が狭くなっている領域がある。具体的な構成については、後で説明する。
【００９４】
孔部４２１は、図７及び図８の（ｂ）に示すように、バックケース４２０の四隅と上中央部との５ヶ所に設けられる。孔部４２１の貫通方向は、筐体部４００の底面及び左側面（右側面）に平行な方向（Ｙ軸方向）である。具体的には、孔部４２１は、フロントケース４１０の第１突出部４１３に対応する数、位置及び形状で構成される。
【００９５】
穴部４２２は、取付体６００を固定するために、バックケース４２０の背面部に設けられた円筒状の穴部である。例えば、取付体６００は、穴部４２２を利用してネジ止めされる。図８の（ｂ）に示す例では、穴部４２２は、バックケース４２０の背面部の上方寄りの位置に設けられるが、穴部４２２の数、位置及び形状は、これに限らない。
【００９６】
凸部４２３は、取付体６００を固定するために、バックケース４２０の底面部に設けられた円柱状の凸部である。具体的には、凸部４２３は、取付体６００に設けられた穴部に挿入されて、取付体６００を固定する。図８の（ｃ）に示す例では、凸部４２３は、バックケース４２０の底面部の前方寄りの位置に設けられるが、凸部４２３の数、位置及び形状は、これに限らない。なお、凸部４２３は、例えば、樹脂材料から構成され、具体的には、樹脂材料と金型とを用いた一体成型によって作製される。
【００９７】
挿通孔４２４は、バックケース４２０の底面部に設けられた矩形の貫通孔である。挿通孔４２４は、図８の（ｃ）に示すように、バックケース４２０の背面に近接する領域に設けられる。挿通孔４２４には、取付体６００がバックケース４２０の背面に沿って底面側から上面側に向かう方向に挿通される。なお、挿通孔４２４の数、位置及び形状は、これに限らない。
【００９８】
なお、孔部４２１、穴部４２２、凸部４２３及び挿通孔４２４は、一体成型の際に形成されてもよく、あるいは、一体成型後に追加工により形成してもよい。
【００９９】
［駆動回路部及びバッテリー部の収容］
続いて、駆動回路部３００及びバッテリー部２００の収容例について、図９〜図１２を用いて説明する。
【０１００】
図９及び図１０は、本実施の形態に係るフロントケース４１０と駆動回路部３００との接続関係を説明するための一部分解斜視図である。図１１は、本実施の形態に係るフロントケース４１０とバックケース４２０との接続関係を説明するための一部分解斜視図である。図１２は、本実施の形態に係る駆動回路部３００とバッテリー部２００の収容例を示す断面図である。
【０１０１】
筐体部４００内にバッテリー部２００及び駆動回路部３００を収容する際には、例えば、まずボタン回路基板３２０をフロントケース４１０に固定する。
【０１０２】
例えば、図９に示すように、第３突出部４１５は、ボタン回路基板３２０の四隅に形成された穴部に挿入される。具体的には、第３突出部４１５の先端の径小部が、ボタン回路基板３２０の穴部に挿入される。このとき、第３突出部４１５の径小部と径大部とによって形成される段差に、ボタン回路基板３２０の第１主面が当接する。なお、第１主面は、フロントケース４１０側、すなわち、前方の面であり、例えば、回路素子が実装される面である。
【０１０３】
さらに、係止部４１６は、ボタン回路基板３２０に設けられた貫通孔に挿入される。係止部４１６の先端に設けられた爪部は、ボタン回路基板３２０の第２主面に当接する。つまり、爪部と第３突出部４１５の段差とが、ボタン回路基板３２０を挟持する。なお、第２主面は、第１主面の反対側の面、すなわち、後方の面である。
【０１０４】
これにより、図１０に示すように、ボタン回路基板３２０は、フロントケース４１０に固定される。このとき、図１２に示すように、ボタン回路基板３２０は、凸面部４１２によって形成される空間に収容される。
【０１０５】
次に、駆動回路基板３１０をフロントケース４１０に固定する。
【０１０６】
例えば、図１０に示すように、第２突出部４１４は、駆動回路基板３１０の四隅に形成された孔部に挿入される。具体的には、第２突出部４１４の先端の径小部が、駆動回路基板３１０の孔部に挿入される。このとき、第２突出部４１４の径小部と径大部とによって形成される段差に、駆動回路基板３１０の第１主面が当接する。なお、第１主面は、フロントケース４１０側、すなわち、前方の面であり、例えば、主な回路素子が実装される面である。主な回路素子は、例えば、コンデンサ、チョークコイルなどの大きな回路素子である。
【０１０７】
図１０に示すように、駆動回路基板３１０は、第２ネジ４４０によって固定される。第２ネジ４４０の軸は、第１主面とは反対側の面である第２主面側から、駆動回路基板３１０の孔部及び第２突出部４１４に設けられた穴部に挿入される。つまり、第２ネジ４４０の首は、駆動回路基板３１０の第２主面に当接する。このように、第２ネジ４４０の首と、第２突出部４１４の段差とが、駆動回路基板３１０を挟持する。
【０１０８】
これにより、図１１に示すように、駆動回路基板３１０は、フロントケース４１０に固定される。このとき、図１２に示すように、駆動回路基板３１０に設けられた回路素子が、凸面部４１２によって形成される空間に収容される。
【０１０９】
次に、バッテリー部２００をバックケース４２０内に収容した後、フロントケース４１０とバックケース４２０とを固定する。
【０１１０】
例えば、図１１に示すように、フロントケース４１０の第１突出部４１３は、バックケース４２０の孔部４２１に挿入されて、第１ネジ４３０によって固定される。具体的には、第１突出部４１３は、バックケース４２０の前面側から孔部４２１に挿入され、第１ネジ４３０は、背面側から孔部４２１に挿入される。
【０１１１】
ここで、孔部４２１の詳細について図１２を用いて説明する。図１２に示すように、孔部４２１は、第１径大部４２１ａと、径小部４２１ｂと、第２径大部４２１ｃ（ザグリ部）とから構成される。
【０１１２】
第１径大部４２１ａは、フロントケース４１０側（前面側）に位置し、第１突出部４１３が挿入される部分である。第１突出部４１３の先端は、第１径大部４２１ａと径小部４２１ｂとによって形成される段差面に当接する。第１径大部４２１ａの径は、第１突出部４１３の径と略同一であり、径小部４２１ｂの径より大きい。
【０１１３】
径小部４２１ｂは、孔部４２１の中央領域に位置し、第１ネジ４３０の軸が挿通される部分である。径小部４２１ｂの径は、第１ネジ４３０の軸の径と略同一であり、第１径大部４２１ａの径及び第２径大部４２１ｃの径より小さい。
【０１１４】
第２径大部４２１ｃは、背面側に位置し、第１ネジ４３０の頭が挿通される部分、すなわち、ザグリ部である。第１ネジ４３０の首は、第２径大部４２１ｃと径小部４２１ｂとによって形成される段差面に当接する。第２径大部４２１ｃの径は、第１ネジ４３０の頭の径と略同一であり、径小部４２１ｂの径より大きい。
【０１１５】
これにより、図１２に示すように、第１ネジ４３０の首と第１突出部４１３の先端とが径小部４２１ｂを挟持することで、フロントケース４１０とバックケース４２０とを固定することができる。
【０１１６】
なお、このとき、図１２に示すように、バッテリー部２００と駆動回路基板３１０とは、絶縁性を確保するために離間している。すなわち、バッテリー部２００は、フロントケース４１０の内面（例えば、リブ状の突起）とバックケース４２０の内面（背面部の内面）とによって挟まれて固定される。したがって、バッテリー部２００は、駆動回路基板３１０に当接しないように、筐体部４００の前後方向への移動が制限される。
【０１１７】
このとき、例えば、フロントケース４１０の内面に設けられたリブ状の突起は、第２突出部４１４より高い。すなわち、リブ状の突起は、突出方向における長さが、第２突出部４１４より長い。これにより、第２突出部４１４に固定される駆動回路基板３１０と、リブ状の突起に当接するバッテリー部２００とを離間させることができる。
【０１１８】
なお、図示しないが、バッテリー部２００からの電力を伝えるためのリード線によって、バッテリー部２００と駆動回路基板３１０とは、電気的に接続されている。また、駆動回路基板３１０とボタン回路基板３２０とも同様に、ボタン回路基板３２０からの電気信号を伝えるためのリード線によって電気的に接続されている。また、駆動回路基板３１０には、駆動回路基板３１０によって生成された直流電力をＬＥＤランプ１００に供給するためのケーブルが接続されている。
【０１１９】
［支持部］
続いて、本実施の形態に係る支持部５００について、図１〜図３を参照しながら図１３〜図１５を用いて説明する。図１３は、本実施の形態に係る支持部５００を示す分解斜視図である。図１４は、本実施の形態に係る支持部５００の可動性を説明するための図である。図１５は、本実施の形態に係るＬＥＤランプ１００の可動性を説明するための図である。
【０１２０】
図１に示すように、支持部５００は、筐体部４００の傾斜面４１１に取り付けられ、ＬＥＤランプ１００を支持する。支持部５００は、回転可能である。例えば、支持部５００は、傾斜面４１１に垂直な方向を回転軸として回転可能である。
【０１２１】
また、支持部５００は、ＬＥＤランプ１００と傾斜面４１１とを離間させ、かつ、ＬＥＤランプ１００が少なくとも上下方向に可動になるように、ＬＥＤランプ１００を支持する。このとき、ＬＥＤランプ１００は、下方向に最大に稼働させた場合において、傾斜面４１１とは接触しない。
【０１２２】
例えば、支持部５００は、ＬＥＤランプ１００が支持部５００の回転方向とは異なる方向に回転可能になるように、ＬＥＤランプ１００を支持する。言い換えると、支持部５００は、ＬＥＤランプ１００の回転軸と支持部５００の回転軸とが異なるように、ＬＥＤランプ１００を支持する。具体的には、支持部５００は、ＬＥＤランプ１００が傾斜面４１１に平行な方向を回転軸として回転可能になるように、ＬＥＤランプ１００を支持する。
【０１２３】
また、支持部５００は、非常用ランプ１０を平面視した場合に、ＬＥＤランプ１００の少なくとも一部が筐体部４００の外方に突出するように、ＬＥＤランプ１００を支持する。例えば、図２の（ａ）に示すように、ＬＥＤランプ１００の回転軸が筐体部４００の外方から突出している。なお、ＬＥＤランプ１００の少なくとも一部が常時、筐体部４００の外方に突出していてもよく、あるいは、所定の回転位置においてのみ筐体部４００の外方に突出してもよい。
【０１２４】
図１３に示すように、支持部５００は、支持体５１０と、中空ボルト５２０と、第１座金５３０及び５３１と、ナット５４０と、第３ネジ５５０と、第２座金５６０及び５６１とを備える。
【０１２５】
支持体５１０は、支持部５００の本体部であり、傾斜面４１１に取り付けられるとともに、ＬＥＤランプ１００を支持する。例えば、支持体５１０は、図１３に示すように、略Ｕ字状の板体である。
【０１２６】
支持体５１０は、例えば、アルミニウムなどの金属材料から構成される。例えば、支持体５１０は、長尺状の１本の金属平板をプレス加工などにより折り曲げることで作製される。
【０１２７】
具体的には、図１３に示すように、支持体５１０は、第１平板部５１１と、２つの第２平板部５１２と、２つの第３平板部５１３とを備える。
【０１２８】
第１平板部５１１は、Ｕ字状の底部に相当し、傾斜面４１１に取り付けられる。第１平板部５１１の中央部には、貫通孔５１１ａが設けられている。貫通孔５１１ａには、中空ボルト５２０が挿通され、第１平板部５１１（支持体５１０）は、中空ボルト５２０を軸として回転可能である。なお、貫通孔５１１ａは、例えば、プレス加工によって形成される。このとき、貫通孔５１１ａの形成と、折り曲げによる第１平板部５１１の形成とは、いずれが先に行われてもよい。
【０１２９】
２つの第２平板部５１２は、ＬＥＤランプ１００を挟むように互いに対向している。第２平板部５１２は、第１平板部５１１に対して垂直になるように設けられている。第２平板部５１２には、貫通孔５１２ａが設けられている。貫通孔５１２ａには、第３ネジ５５０の軸が挿通される。第３ネジ５５０の軸は、ＬＥＤランプ１００の穴部１５２にも挿通される。なお、貫通孔５１２ａは、例えば、プレス加工によって形成される。このとき、貫通孔５１２ａの形成と、折り曲げによる第２平板部５１２の形成とは、いずれが先に行われてもよい。
【０１３０】
これにより、支持体５１０は、ＬＥＤランプ１００を回転可能に支持する。つまり、ＬＥＤランプ１００は、第３ネジ５５０の軸方向を回転軸として回転可能である。
【０１３１】
なお、第３ネジ５５０の軸方向は、傾斜面４１１に平行になる。つまり、ＬＥＤランプ１００の回転方向と、支持体５１０の回転方向とは直交する。したがって、ＬＥＤランプ１００は、あらゆる方向を照射することが可能になる。
【０１３２】
第３平板部５１３は、第１平板部５１１と第２平板部５１２とを接続する部分である。第３平板部５１３は、第１平板部５１１及び第２平板部５１２に対して傾斜している。
【０１３３】
なお、支持体５１０は、角が略直角のＵ字状でもよく、具体的には、第３平板部５１３を備えずに、第１平板部５１１及び２つの第２平板部５１２のみを備えていてもよい。つまり、２つの第２平板部５１２は、第１平板部５１１のそれぞれの端部から略直角に立設していてもよい。
【０１３４】
中空ボルト５２０は、支持体５１０を傾斜面４１１に取り付けるための部材の一例である。具体的には、中空ボルト５２０の軸は、第１座金５３０、支持体５１０の貫通孔５１１ａ、第１座金５３１、傾斜面４１１の貫通孔４１７を順に挿通し、ナット５４０によってフロントケース４１０の内面側からネジ止めされる。中空ボルト５２０は、例えば、金属材料又は樹脂材料から構成される。
【０１３５】
なお、中空ボルト５２０には、軸方向に貫通する貫通孔が設けられている。中空ボルト５２０の貫通孔には、例えば、ＬＥＤランプ１００のＬＥＤモジュール１１０と駆動回路部３００とを電気的に接続するためのケーブルが挿通される。これにより、駆動回路部３００によって生成した電力をＬＥＤランプ１００に供給することができ、ＬＥＤランプ１００を点灯させることができる。
【０１３６】
第１座金５３０及び５３１は、中空ボルト５２０の緩みを抑制するために設けられる。第１座金５３０は、中空ボルト５２０の頭と支持体５１０との間に設けられ、第１座金５３１は、支持体５１０とフロントケース４１０の傾斜面４１１との間に設けられる。第１座金５３０及び５３１は、例えば、金属材料又は樹脂材料から構成される。
【０１３７】
上述したように、支持部５００は、自身が回転可能である。具体的には、支持体５１０が、傾斜面４１１に垂直な方向を回転軸として回転可能である。第１座金５３０及び５３１は、支持体５１０が回転した場合に、中空ボルト５２０が緩むのを抑制し、支持部５００が脱落するのを抑制する。
【０１３８】
具体的には、支持部５００は、図１４の（ａ）に示すように、傾斜面４１１に垂直な方向を回転軸として回転可能である。これにより、例えば、図１４の（ｂ）及び（ｃ）に示すように、支持部５００は、非常用ランプ１０の左右方向又は斜め方向などを自由に照射することができる。
【０１３９】
ナット５４０は、支持体５１０をフロントケース４１０に取り付けるための部材の一例である。ナット５４０は、中空ボルト５２０の軸をフロントケース４１０の内面側から締め付けることで、支持体５１０を固定する。ナット５４０は、例えば、六角ナットである。ナット５４０は、例えば、金属材料又は樹脂材料から構成される。
【０１４０】
第３ネジ５５０は、ＬＥＤランプ１００を支持体５１０に取り付けるための部材の一例である。具体的には、第３ネジ５５０の軸は、第２座金５６０、支持体５１０の貫通孔５１２ａ、第２座金５６１、ＬＥＤランプ１００の穴部１５２を順に挿通する。第３ネジ５５０は、例えば、金属材料又は樹脂材料から構成される。
【０１４１】
第２座金５６０及び５６１は、第３ネジ５５０の緩みを抑制するために設けられる。第２座金５６０は、第３ネジ５５０の頭と支持体５１０との間に設けられ、第２座金５６１は、支持体５１０とＬＥＤランプ１００の保持ケース１５０との間に設けられる。第２座金５６０及び５６１は、例えば、金属材料又は樹脂材料から構成される。
【０１４２】
上述したように、支持部５００は、ＬＥＤランプ１００を回転可能に支持する。つまり、支持部５００は、ＬＥＤランプ１００と傾斜面４１１と離間させ、かつ、ＬＥＤランプ１００が少なくとも上下方向に可動にしている。
【０１４３】
具体的には、ＬＥＤランプ１００は、第２平板部５１２が対向する方向、すなわち、挟持される方向を回転軸として回転可能である。なお、第２座金５６０及び５６１は、ＬＥＤランプ１００が回転した場合に、第３ネジ５５０が緩むのを抑制し、ＬＥＤランプ１００が脱落するのを抑制する。
【０１４４】
ＬＥＤランプ１００は、図１５の（ａ）に示すように、２本の第３ネジ５５０を回転軸として回転可能である。つまり、ＬＥＤランプ１００は、傾斜面４１１に接触しないように、第３ネジ５５０を回転軸として回転可能である。
【０１４５】
これにより、例えば、図１５の（ｂ）に示すように、ＬＥＤランプ１００は、非常用ランプ１０の直下近傍を含む下方を照射することができる。また、ＬＥＤランプ１００は、図１５の（ｃ）に示すように、直下だけでなく、直上方向も照射することができる。さらに、支持部５００も回転可能であることから、支持部５００の回転とＬＥＤランプ１００の回転とを組み合わせることで、ＬＥＤランプ１００は、前後左右上下の様々な方向を照射することができる。
【０１４６】
［取付体］
続いて、本実施の形態に係る取付体６００について、図１〜図３を参照しながら図１６〜図１８を用いて説明する。図１６は、本実施の形態に係る取付体６００を示す概観斜視図である。図１７は、本実施の形態に係る取付体６００を示す（ａ）正面図、（ｂ）側面図及び（ｃ）下面図を含む三面図である。図１８は、本実施の形態に係る取付体６００による筐体部４００の支持方法の一例を説明するための概観斜視図である。
【０１４７】
取付体６００は、非常用ランプ１０を取り付けるための被取付面に取付可能な板状部材の一例である。取付体６００は、アルミニウムなどの金属材料から構成される。例えば、取付体６００は、長尺状の１本の金属平板をプレス加工などにより折り曲げることで作製される。なお、取付体６００は、金属材料から構成される棒状部材でもよい。
【０１４８】
取付体６００は、図１８に示すように、筐体部４００の背面部から下面に沿って延設されて、筐体部４００の下面を支持する。具体的には、取付体６００は、筐体部４００のバックケース４２０の背面部から下面に沿った形状に折り曲げられている。バックケース４２０の背面と下面とは、略直交している。
【０１４９】
このため、取付体６００は、図１６及び図１７の（ｂ）に示すように、略Ｌ字形である。具体的には、取付体６００は、底部６１０と、側壁部６２０とを備える。
【０１５０】
底部６１０は、筐体部４００の下面（底面）を支持する平板部である。図１８に示すように、底部６１０は、筐体部４００の下面に沿って設けられて、筐体部４００の下面を支持する。
【０１５１】
図１６及び図１７の（ｃ）に示すように、底部６１０には、穴部６１１が設けられている。穴部６１１は、取付体６００をバックケース４２０に固定するための円筒状の穴部である。例えば、穴部６１１は、図１６及び図１７の（ｃ）に示すように、底部６１０の前方寄りの位置に設けられる。具体的には、穴部６１１は、バックケース４２０の凸部４２３に対応する数、位置及び形状で構成される。例えば、図１８に示すように、穴部６１１には、凸部４２３が挿入されるので、取付体６００は、平面（底面）内における移動が制限される。
【０１５２】
側壁部６２０は、底部６１０の端部から略直角に立設された平板部である。図１８に示すように、側壁部６２０は、バックケース４２０の背面側に設けられる。具体的には、側壁部６２０は、バックケース４２０の底面部に設けられた挿通孔に挿通される。側壁部６２０は、バックケース４２０の背面部の上方部分で外部に露出している。図１８に示すように、側壁部６２０の露出部分には、取付穴６２１と、貫通孔６２２とが設けられている。
【０１５３】
取付穴６２１は、非常用ランプ１０を被取付面に取り付ける際に、被取付面に設けられた支持部材（例えば、釘など）が挿入される穴である。取付穴６２１は、例えば、側壁部６２０の上部に設けられる。被取付面は、例えば、部屋の壁又は柱などである。
【０１５４】
また、取付穴６２１は、図１６及び図１７の（ａ）に示すように、大きい穴と小さい穴とが互いの一部を重ねるように設けられた１つの穴であり、例えば、「ダルマ穴」と呼ばれる形状を有する。
【０１５５】
貫通孔６２２は、取付体６００をバックケース４２０に固定するための円筒状の貫通孔である。例えば、貫通孔６２２は、図１６及び図１７の（ａ）に示すように取付穴６２１の直下に設けられる。具体的には、貫通孔６２２は、バックケース４２０の穴部４２２に対応する数、位置及び形状で構成される。例えば、所定のネジが、貫通孔６２２及び穴部４２２に挿通され、取付体６００とバックケース４２０とをネジ止めすることで固定する。
【０１５６】
なお、穴部６１１、取付穴６２１及び貫通孔６２２は、例えば、プレス加工によって形成される。また、穴部６１１、取付穴６２１及び貫通孔６２２の数、位置及び形状は、上述したものに限らない。例えば、穴部６１１、取付穴６２１及び貫通孔６２２は、矩形の穴又は貫通孔でもよく、複数設けられてもよい。
【０１５７】
［まとめ］
以上のように、本実施の形態に係る非常用ランプ１０では、ＬＥＤランプ１００と、上面から側面にかけて傾斜した傾斜面４１１を有する筐体部４００と、傾斜面４１１に取り付けられ、ＬＥＤランプ１００を支持する支持部５００とを備え、支持部５００は、ＬＥＤランプ１００と傾斜面４１１とを離間させ、かつ、ＬＥＤランプ１００が少なくとも上下方向に可動になるように、ＬＥＤランプ１００を支持し、ＬＥＤランプ１００は、下方向に最大に可動させた場合において、傾斜面４１１とは接触しない。
【０１５８】
これにより、ＬＥＤランプ１００は、傾斜面４１１に接触しないように離間させて支持部５００を介して傾斜面４１１に取り付けられているので、非常用ランプ１０の直下近傍を含めた下方を照射することができる。具体的には、ＬＥＤランプ１００は、支持部５００を介して筐体部４００の上面に取り付けられている場合よりも、傾斜面４１１に取り付けられている場合の方が、より下方を照射することができる。したがって、より所望の配光を得ることができる。
【０１５９】
また、本実施の形態に係る非常用ランプ１０では、支持部５００は、回転可能であり、ＬＥＤランプ１００が支持部５００の回転方向とは異なる方向に回転可能になるように、ＬＥＤランプ１００を支持する。
【０１６０】
これにより、支持部５００は自身が回転可能であり、かつ、自身の回転方向とは異なる方向に回転可能になるようにＬＥＤランプ１００を支持するので、様々な方向を照射することができる。したがって、非常用ランプ１０は、簡易な部品構成で、広範囲な配光特性を得ることができる。
【０１６１】
また、本実施の形態に係る非常用ランプ１０では、支持部５００は、傾斜面４１１に垂直な方向を回転軸として回転可能であり、ＬＥＤランプ１００が傾斜面４１１に平行な方向を回転軸として回転可能になるように、ＬＥＤランプ１００を支持する。
【０１６２】
これにより、支持部５００の回転方向とＬＥＤランプ１００の回転方向とは直交するので、あらゆる方向を照射することができる。
【０１６３】
また、本実施の形態に係る非常用ランプ１０では、支持部５００は、平面視した場合にＬＥＤランプ１００の少なくとも一部が筐体部４００の外方に突出するように、ＬＥＤランプ１００を支持する。
【０１６４】
これにより、ＬＥＤランプ１００の少なくとも一部が筐体部４００の外方に突出しているので、非常用ランプ１０の直下により近い領域を照射することができる。
【０１６５】
また、本実施の形態に係る非常用ランプ１０では、非常用ランプ１０は、さらに、筐体部４００の背面部に設けられた、非常用ランプ１０を取り付けるための被取付面に取付可能な取付体６００を備え、筐体部４００は、樹脂から構成され、ＬＥＤランプ１００に電力を供給するためのバッテリー部２００を収容し、取付体６００は、金属から構成され、背面部から筐体部４００の下面に沿って延設されて下面を支持する。
【０１６６】
これにより、筐体部４００が樹脂から構成される場合に、金属から構成される取付体６００によって筐体部４００を下面から支えるので、筐体部４００に内蔵されるバッテリー部２００の重みによって筐体部４００が破損するのを抑制することができる。
【０１６７】
（その他変形例など）
以上、本発明に係る照明装置について、上記実施の形態に基づいて説明したが、本発明は、上記の実施の形態に限定されるものではない。
【０１６８】
例えば、上記の実施の形態では、傾斜面４１１をフロントケース４１０に設けたが、バックケース４２０に設けてもよい。例えば、バックケース４２０の上面から左側面又は右側面にかけて傾斜した傾斜面を設けてもよい。
【０１６９】
また、バックケース４２０は、上面を備えていなくてもよい。つまり、傾斜面４１１は、バックケース４２０の背面の上端（筐体部４００の上面に相当）から前面にかけて傾斜した面であってもよい。
【０１７０】
また、上記実施の形態では、フロントケース４１０とバックケース４２０とを第１ネジ４３０によって固定する例について説明したが、これに限らない。例えば、フロントケース４１０とバックケース４２０とのそれぞれに、互いに物理的に係止する係止部を設けてもよい。
【０１７１】
また、上記実施の形態では、支持体５１０が略Ｕ字状である例について説明したが、これに限らない。例えば、支持体５１０は、略Ｖ字状でもよい。支持体５１０は、ＬＥＤランプ１００が上下方向に可動になるように支持できればよい。
【０１７２】
例えば、支持体５１０は、傾斜面４１１に垂直な方向に伸縮可能な棒状の部材であり、先端にＬＥＤランプ１００が設けられてもよい。伸縮可能な棒状の支持体５１０を伸ばすことで、先端に設けられたＬＥＤランプ１００が筐体部４００の外方に突出し、非常用ランプ１０の直下近傍を照射することができる。
【０１７３】
また、上記実施の形態で説明した、駆動回路部３００とバッテリー部２００との収容例は、一例であって、上記には限られない。例えば、駆動回路部３００をバックケース４２０に固定してもよい。また、駆動回路部３００とバッテリー部２００とを左右方向又は上下方向に並べて配置してもよい。
【０１７４】
また、上記実施の形態では、非常用ランプ１０は、２つのＬＥＤランプ１００及び２つの支持部５００を備える例について説明したが、これに限らない。非常用ランプ１０は、１つのみのＬＥＤランプ１００及び支持部５００を備えてもよく、３つ以上のＬＥＤランプ１００及び支持部５００を備えてもよい。また、１つのみの支持部５００が複数のＬＥＤランプ１００を支持してもよい。
【０１７５】
同様に、非常用ランプ１０は、２つの取付体６００を備えるが、これに限らない。非常用ランプ１０は、１つのみの取付体６００を備えてもよく、３つ以上の取付体６００を備えてもよい。
【０１７６】
また、上記の実施の形態において、ＬＥＤモジュール１１０が、パッケージ化されたＬＥＤ素子を用いたＳＭＤ型のＬＥＤモジュールである場合について説明したが、これに限らない。ＬＥＤモジュール１１０は、基板上に複数のＬＥＤチップが直接実装され、複数のＬＥＤチップを蛍光体含有樹脂によって一括封止した構成であるＣＯＢ（Ｃｈｉｐ  Ｏｎ  Ｂｏａｒｄ）型のＬＥＤモジュールでもよい。
【０１７７】
また、支持台１４０に戴置される基板（ＬＥＤモジュール１１０）は、２枚以上並べてもよい。この場合、接続端子を介してそれぞれの基板に設けられた金属配線を接続すればよい。
【０１７８】
また、上記の実施の形態において、ＬＥＤモジュール１１０は、青色ＬＥＤチップと黄色蛍光体とによって白色光を放出するように構成したが、これに限らない。例えば、演色性を高めるために、黄色蛍光体に加えて、さらに、赤色蛍光体及び緑色蛍光体を混ぜてもよい。また、黄色蛍光体を用いずに、赤色蛍光体及び緑色蛍光体を含有する蛍光体含有樹脂を用いて、青色ＬＥＤチップと組み合わせることにより白色光を放出するようにしてもよい。
【０１７９】
また、上記の実施の形態において、ＬＥＤチップは、青色以外の色を発光するＬＥＤチップを用いてもよい。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１８０】
また、上記の実施の形態において、発光素子としてＬＥＤを例示したが、半導体レーザなどの半導体発光素子、有機ＥＬ（Ｅｌｅｃｔｒｏ  Ｌｕｍｉｎｅｓｃｅｎｃｅ）又は無機ＥＬなどの発光素子を用いてもよい。
【０１８１】
また、上記の実施の形態において、ＬＥＤモジュール１１０は、白色光を放出するように構成したが、これに限らない。例えば、ＬＥＤモジュール１１０は、赤色又は青色などのカラー光を放出する用に構成してもよい。このようなカラー光源のＬＥＤモジュールを用いることによって、照明演出効果を向上させることができる。
【０１８２】
また、上記の実施の形態において、ＬＥＤランプ１００は、ハロゲン電球に代替するハロゲン電球形のＬＥＤランプである例について示したが、これに限らない。ＬＥＤランプ１００は、ハロゲン電球以外のランプにも適用することができる。
【０１８３】
また、上記実施の形態において、ＬＥＤランプ１００を光源部として用いたが、これに限らない。光源部は、白熱電球などでもよい。
【０１８４】
また、上記実施の形態において、非常用ランプ１０は、停電などの非常時に利用される例について示したが、これに限らない。非常時だけじゃなく、平時に通常の照明装置として利用することもできる。
【０１８５】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１８６】
１０  非常用ランプ
１００  ＬＥＤランプ
１１０  ＬＥＤモジュール
１１１  基台
１１２  ＬＥＤ素子
１２０  導光部材
１２１  光放射面
１３０  フロントカバー
１４０  支持台
１４１  平板部
１４２、１５１、４１７、５１１ａ、５１２ａ、６２２  貫通孔
１５０  保持ケース
１５２、４２２、６１１  穴部
２００  バッテリー部
３００  駆動回路部
３１０  駆動回路基板
３２０  ボタン回路基板
４００  筐体部
４１０  フロントケース
４１１  傾斜面
４１２  凸面部
４１２ａ  平面
４１２ｂ  基準面
４１３  第１突出部
４１４  第２突出部
４１５  第３突出部
４１６  係止部
４２０  バックケース
４２１  孔部
４２１ａ  第１径大部
４２１ｂ  径小部
４２１ｃ  第２径大部
４２３  凸部
４２４  挿通孔
４３０  第１ネジ
４４０  第２ネジ
５００  支持部
５１０  支持体
５１１  第１平板部
５１２  第２平板部
５１３  第３平板部
５２０  中空ボルト
５３０、５３１  第１座金
５４０  ナット
５５０  第３ネジ
５６０、５６１  第２座金
６００  取付体
６１０  底部
６２０  側壁部
６２１  取付穴
【図１】
2015125812.tif 000003
【図２】
2015125812.tif 000004
【図３】
2015125812.tif 000005
【図４】
2015125812.tif 000006
【図５】
2015125812.tif 000007
【図６】
2015125812.tif 000008
【図７】
2015125812.tif 000009
【図８】
2015125812.tif 000010
【図９】
2015125812.tif 000011
【図１０】
2015125812.tif 000012
【図１１】
2015125812.tif 000013
【図１２】
2015125812.tif 000014
【図１３】
2015125812.tif 000015
【図１４】
2015125812.tif 000016
【図１５】
2015125812.tif 000017
【図１６】
2015125812.tif 000018
【図１７】
2015125812.tif 000019
【図１８】
2015125812.tif 000020